(57)【要約】【課題】吸引孔を有するベルト状部材上に載る透明な印刷媒体を反射型フォトセンサで検知するときに誤検出を生じる。【解決手段】キャリッジ１３の側面に印刷媒体２を検出する反射型フォトセンサからなる媒体センサ５１を備え、保護ベルト２１の内側には固定部分に、吸引孔２１ａを通過して、媒体センサ５１から入射された光を反射する反射部材５２を配置し、媒体センサ５１のセンサ出力を予め定めた媒体有無基準値と比較することで、保護ベルト２１上の透明テープ２０２の有無を判別し、反射部材５２の反射率は、保護ベルト２１上に透明テープ２０２がない状態で、吸引孔２１ａの位置での反射光を受光したときのセンサ出力が、媒体有無基準値よりも小さく、保護ベルト２１上に透明テープ２０２がある状態で、吸引孔２１ａの位置での反射光を受光したときのセンサ出力が、媒体有無基準値以上になる反射率である。【選択図】図４
2014198626.tif 000002
【特許請求の範囲】
【請求項１】
印刷媒体に画像を形成する画像形成手段と、
周回移動可能に配置され、前記印刷媒体を吸着する複数の吸引孔が設けられたベルト状部材と、
前記ベルト状部材上の前記印刷媒体を検知するための反射型フォトセンサと、を備え、
前記ベルト状部材の内側には、前記吸引孔を介して前記反射型フォトセンサからの光を反射する反射部材が配置され、
前記反射型フォトセンサのセンサ出力を予め定めた媒体有無基準値と比較することで、前記ベルト状部材上の透明な印刷媒体の有無を判別し、
前記反射部材の反射率は、
前記ベルト状部材上に前記透明な印刷媒体がない状態で、前記吸引孔の位置での反射光を受光したときの前記センサ出力が、前記媒体有無基準値よりも小さく、
前記ベルト状部材上に前記透明な印刷媒体がある状態で、前記吸引孔の位置での反射光を受光したときの前記センサ出力が、前記媒体有無基準値以上になる
反射率である
ことを特徴とする画像形成装置。
【請求項２】
前記ベルト状部材上に前記透明な印刷媒体がない状態で、前記吸引孔の位置での反射光を受光したときの前記センサ出力が、前記ベルト状部材の表面からの反射光を受光したときの前記センサ出力より低い
ことを特徴とする請求項１に記載の画像形成装置。
【請求項３】
前記ベルト状部材上に前記透明な印刷媒体がない状態で、前記吸引孔の位置での反射光を受光したときの前記センサ出力が、前記ベルト状部材の表面からの反射光を受光したときの前記センサ出力より高い
ことを特徴とする請求項１に記載の画像形成装置。
【請求項４】
印刷媒体に画像を形成する画像形成手段と、
周回移動可能に配置され、前記印刷媒体を吸着する複数の吸引孔が設けられたベルト状部材と、
前記ベルト状部材上の前記印刷媒体を検知するための反射型フォトセンサと、を備え、
前記ベルト状部材の内側には、前記吸引孔を介して前記反射型フォトセンサからの光を反射する反射部材が配置され、
前記ベルト状部材の表面からの反射光を受光したときの前記反射型フォトセンサからのセンサ出力と前記反射部材からの反射光を受光したときの前記反射型フォトセンサからのセンサ出力との差が、前記ベルト状部材の表面からの反射光を受光したときの前記反射型フォトセンサからのセンサ出力と前記ベルト状部材上に前記透明な印刷媒体がある状態のときの前記反射型フォトセンサからのセンサ出力との差よりも小さい
ことを特徴とする画像形成装置。
【請求項５】
前記反射部材は、前記反射型フォトセンサによる検知領域に対応する大きさであることを特徴とする請求項１ないし４のいずれかに記載の画像形成装置。
【請求項６】
前記反射部材は、交換可能に設けられていることを特徴とする請求項１ないし５のいずれかに記載の画像形成装置。
【発明の詳細な説明】
【技術分野】
【０００１】
本発明は画像形成装置に関する。
【背景技術】
【０００２】
テープ、台紙なしのラベル紙など、粘着面を有し、粘着面に剥離紙が付いていない印刷媒体（以下、「ライナーレスラベル紙」ともいう。）に対して画像形成手段によって印刷を行い、印刷後所要の長さに切断して印刷媒体片（以下、「ラベル片」ともいう。）とするラベルプリンタなどの画像形成装置が知られている。
【０００３】
このような画像形成装置にあっては、透明テープなどの透明の印刷媒体を使用することがある。
【０００４】
従来、透明テープの終端を検出するものとして、例えば、透明テープを挟む透過型フォトセンサを使用し、透明テープの終端部分に設けられた不透明部分を検知することでテープ終端を検出するようにしたものが知られている（特許文献１）。
【先行技術文献】
【特許文献】
【０００５】
【特許文献１】特開平０７−０９７１３２号公報
【発明の概要】
【発明が解決しようとする課題】
【０００６】
ところで、画像形成装置においては、印刷媒体の先端検知や幅検知を反射型フォトセンサ使用して行うことが一般的である。一方、印刷媒体を吸引方式の搬送ベルトによって搬送することも知られている。
【０００７】
ここで、印刷媒体が例えば透明テープである場合、反射型フォトセンサによる検出領域中に搬送ベルトの吸引孔が含まれる位置関係になったとき、吸引孔の箇所とそれ以外の領域での反射光量の違いによって誤検知が発生するという課題がある。
【０００８】
本発明は上記の課題に鑑みてなされたものであり、透明な印刷媒体を吸引方式のベルト状部材を使用して搬送し、反射型フォトセンサによって媒体幅や媒体有無を検知するときの誤検知を防止することを目的とする。
【課題を解決するための手段】
【０００９】
上記の課題を解決するため、本発明に係る画像形成装置は、
印刷媒体に画像を形成する画像形成手段と、
周回移動可能に配置され、前記印刷媒体を吸着する複数の吸引孔が設けられたベルト状部材と、
前記ベルト状部材上の前記印刷媒体を検知するための反射型フォトセンサと、を備え、
前記ベルト状部材の内側には、前記吸引孔を介して前記反射型フォトセンサからの光を反射する反射部材が配置され、
前記反射型フォトセンサのセンサ出力を予め定めた媒体有無基準値と比較することで、前記ベルト状部材上の透明な印刷媒体の有無を判別し、
前記反射部材の反射率は、
前記ベルト状部材上に前記透明な印刷媒体がない状態で、前記吸引孔の位置での反射光を受光したときの前記センサ出力が、前記媒体有無基準値よりも小さく、
前記ベルト状部材上に前記透明な印刷媒体がある状態で、前記吸引孔の位置での反射光を受光したときの前記センサ出力が、前記媒体有無基準値以上になる
反射率である
構成とした。
【発明の効果】
【００１０】
本発明によれば、透明な印刷媒体を吸引方式のベルト状部材を使用して搬送し、反射型フォトセンサによって媒体幅や媒体有無を検知するときの誤検知を防止することができる。
【図面の簡単な説明】
【００１１】
【図１】本発明に係る画像形成装置の一例の側面説明図である。
【図２】同装置の要部斜視説明図である。
【図３】同装置における搬送部の反射部材と媒体センサとの位置関係の説明に供する側面説明図である。
【図４】同じく平面説明図である。
【図５】媒体検出作用の説明に供するセンサ出力の説明図である。
【図６】反射部材の反射率の設定の一例の説明に供する説明図である。
【図７】反射部材の反射率の設定の他の例の説明に供する説明図である。
【図８】反射部材の設置領域の説明に供する平面説明図である。
【図９】反射部材の設置方法の説明に供する説明図である。
【図１０】比較例で保護ベルトの吸引孔における反射率が保護ベルトの表面の反射率より低い場合の説明に供する平面説明図である。
【図１１】同じく透明テープがない場合のセンサ出力の一例を説明する説明図である。
【図１２】同じく透明テープがある場合のセンサ出力の一例を説明する説明図である。
【図１３】同比較例で保護ベルトの吸引孔における反射率が保護ベルトの表面の反射率よりも著しく高い場合の説明に供する平面説明図である。
【図１４】同じく透明テープがない場合のセンサ出力の一例を説明する説明図である。
【図１５】同じく透明テープがある場合のセンサ出力の一例を説明する説明図である。
【発明を実施するための形態】
【００１２】
以下、本発明の実施の形態について添付図面を参照して説明する。まず、本発明に係る画像形成装置の一例について図１及び図２を参照して説明する。図１は同画像形成装置の側面説明図、図２は同装置の要部斜視説明図である。
【００１３】
この画像形成装置は、装置本体１００内に、給紙部１０１と、画像形成手段である画像形成部１０２と、搬送手段である搬送部１０３と、排紙手段である排紙部１０４とが配置されている。
【００１４】
給紙部１０１には、ライナーレスラベル紙である印刷媒体２をロール状に巻き回したロール体４が装填される。
【００１５】
ここで、印刷媒体２は、画像を形成可能な媒体（以下、「印刷面」という。）の一面に粘着層（以下、「粘着面」という。）を形成した連続体である。そして、ロール体４は印刷媒体２の粘着面に台紙（剥離紙、セパレータ）を貼り付けていない状態でロール状にしたものである。
【００１６】
画像形成部１０２は、印刷媒体２に液滴を吐出する液体吐出ヘッドからなる記録ヘッド１１を搭載したキャリッジ１２を備えている。キャリッジ１２は、図示しないガイド部材に移動可能に保持されて、印刷媒体２の送り方向（図２の矢印A方向）と直交する方向に往復移動される。
【００１７】
なお、記録ヘッド１１は２つのノズル列を有するヘッドである。この記録ヘッド１１を２つ使用して、４列のノズル列でそれぞれブラック（Ｋ）、シアン（Ｃ）、マゼンタ（Ｍ）、イエロー（Ｙ）の各色のインク液滴を吐出するようにしている。ただし、これに限るものではなく、またライン型ヘッドを使用することもできる。
【００１８】
また、画像形成部１０２は、液体吐出ヘッドの形態に限らず、接触あるいは非接触で画像を形成する各種画像形成手段を用いることができる。
【００１９】
搬送部１０３は、記録ヘッド１１の下方に、無端状のベルト状部材である粘着面保護部材を兼ねる保護ベルト２１が配置されている。保護ベルト２１は、回転体である搬送ローラ２２と従動ローラ２３との間に周回移動可能に掛け回されている。
【００２０】
搬送ローラ２２に対向して加圧ローラ２４が配置されている。これらの搬送ローラ２２と加圧ローラ２４とからなる回転体対（ここでは、ローラ対）によって、印刷媒体２と粘着面保護部材である保護ベルト２１とを一緒に挟み込んで、記録ヘッド１１による画像形成領域に搬送する搬送手段を構成している。ここでは、印刷媒体２の粘着面側を保護ベルト２１で保持して搬送する。
【００２１】
このような搬送手段を用いることで、印刷媒体を搬送する搬送径路に粘着面２ｂが接着して搬送不能になったり、搬送抵抗が大きくなって搬送が不安定になったりすることがない。
【００２２】
また、保護ベルト２１には多数（複数）の吸引孔２１ａが形成されている。そして、保護ベルト２１の内側には、画像形成部１０２の記録ヘッド１１に対向して、吸引孔２１ａを介して印刷媒体２を保護ベルト２１の表面（搬送面）に向けて吸引する吸引手段である吸引ファン２７が配置されている。なお、ここでは、吸引によって保護ベルト２１に印刷媒体２を吸着する構成としているが、これに限らず、静電力で吸着することもできる。
【００２３】
さらに、従動ローラ２３に対向して拍車コロ２８が配置されている。
【００２４】
また、搬送ローラ２２の軸部にはエンコーダホイール４１が取り付けられ、このエンコーダホイール４１を読取るエンコーダセンサ４２によって副走査エンコーダを構成している。
【００２５】
排紙部１０４は、保護ベルト２１の下流側に、保護ベルト２１から送り出された印刷媒体２を搬送する中間ローラ３１及びこれに対向する拍車コロ３２が配置されている。この中間ローラ３１及び拍車コロ３２の下流側に、印刷媒体２を所定の長さに切断して印刷媒体片（ラベル片）２００とするカッタ３３及び受け台３４を含む切断手段であるカッタユニット３５が配置されている。カッタユニット３５は、カッタ３３が主走査方向に移動することで印刷媒体２を切断する。
【００２６】
そして、カッタユニット３５の下流側には、排紙ローラ３６が配置されている。排紙ローラ３６に対向して拍車コロ３７が配置されている。これらの排紙ローラ３６と拍車コロ３８によって、カッタユニット３５で切断された状態のラベル片２００を排出口１０５に送り出して保持する。
【００２７】
ここで、中間ローラ３１、排紙ローラ３６のラベル片２００を保持する表面は、例えば非粘着性処理（粘着面が付着しない処理）を施して、ラベル片２００の粘着面２ｂを剥離可能としている。この場合、中間ローラ３１、排紙ローラ３６自体を剥離可能な材質で形成することもできる。
【００２８】
このように構成した画像形成装置において、印刷媒体２に画像を形成するときには、給紙部１０１にロール体４を装填して印刷媒体２を引き出し、一方、加圧ローラ２４を搬送ローラ２２から離間させた位置に後退させる。
【００２９】
そして、印刷媒体２を搬送ローラ２２と加圧ローラ２４との間を通過させ、加圧ローラ２４を印刷媒体２と保護ベルト２１とを加圧する方向に移動させ、搬送ローラ２２と加圧ローラ２４との間に印刷媒体２と保護ベルト２１とを一緒に挟み込む。
【００３０】
その後、搬送ローラ２２を回転駆動することによって印刷媒体２の粘着面が保護ベルト２１で保護された状態で搬送され、画像形成部１０２の記録ヘッド１１によって所望の画像が形成される。なお、本実施形態ではセンサ９によって印刷媒体２を検知したときを基準として送り量を制御している。
【００３１】
画像が形成された印刷媒体２から保護ベルト２１が剥離されて、印刷媒体２のみが排紙部１０４に送られる。そして、カッタユニット３５によって所要の位置で切断されてラベル片２００となり、排紙ローラ３６と拍車コロ３８との間で、装置本体１００の排出口１０５から抜き取り可能な状態で保持される。
【００３２】
次に、この画像形成装置における印刷媒体２の有無及び幅を検出する手段について図３及び図４も参照して説明する。図３は搬送部の反射部材と媒体センサとの位置関係の説明に供する側面説明図、図４は同じく平面説明図である。
【００３３】
この画像形成装置では、キャリッジ１２の側面に印刷媒体２を検出する反射型フォトセンサからなる媒体センサ５１を備えている。
【００３４】
一方、保護ベルト２１の内側には、例えば吸引ファン２７を含む吸引ユニット２９のハウジングなどの固定部分に、吸引孔２１ａを通過して、媒体センサ５１から入射された光を反射する反射部材５２を配置している。
【００３５】
この反射部材５２には、キャリッジ１２の走査領域で、媒体センサ５１による検出領域に対向する領域に設けている。
【００３６】
次に、本実施形態における媒体検出作用について図５の説明図も参照して説明する。
【００３７】
まず、反射部材５２の反射率は、媒体センサ５１によって保護ベルト２１の表面を読取ったときのセンサ出力と同等のセンサ出力が得られる反射率とする。なお、媒体センサ５１によって読取るとは、媒体センサ５１を構成する反射型フォトセンサの発光手段から光を照射し、その反射光を受光手段で受光して、受光量に応じた出力電圧（センサ出力）を得ることである。
【００３８】
この場合、図４に示すように、保護ベルト２１上に透明テープ２０２が載置されて搬送されるとき、キャリッジ１２を主走査方向に移動させて、媒体センサ５１による読み取りを行うことで、例えば図５に示すようなセンサ出力が得られる。
【００３９】
ここでは、上述した保護ベルト２１の表面を読取ったときと、保護ベルト２１の吸引孔２１ａを介して反射部材５２の表面を読取ったときのセンサ出力は同じであり、透明テープ２０２を読取ったときのセンサ出力はこれよりも大きくなる（入射光量が多くなる）。
【００４０】
そこで、透明テープ２０２を読取ったときのセンサ出力と保護ベルト２１及び反射部材５２の表面を読取ったときのセンサ出力との中間にテープ有無基準値を設定する。そして媒体センサ５１のセンサ出力とテープ有無基準値とを比較することで、テープの有無を判別することができるので、透明テープ２０２の先端位置や幅を検出することができる。
【００４１】
このように、吸引孔２１ａを有する保護ベルト２１などの搬送ベルトで透明テープ２０２を搬送する場合でも、吸引孔２１ａの影響を受けることなく、透明テープ２０２の幅を検出することができる。同様にして、透明テープ２０２の先端検出も行うことができる。
【００４２】
ここで、反射部材５２を備えていない比較例における誤検出について図１０ないし図１２を参照して説明する。
【００４３】
反射部材５２を備えていない構成では、吸引孔２１ａからの反射がほとんどなくなるため、図１１に示すように保護ベルト２１の表面よりも吸引孔２１ａのセンサ出力は小さくなる。この状態では、保護ベルト２１の表面のセンサ出力も吸引孔２１ａのセンサ出力もテープ有無基準値を下回っており、誤検知が生じることはない。
【００４４】
しかし、図１０に示すように、保護ベルト２１上に透明テープ２０２を配置して媒体センサ５１によって読み取りを行うと、媒体センサ５１の吸引孔２１ａの箇所でのセンサ出力は、図１２に示すように、透明テープ２０２の反射で若干の反射は検出されるものの吸引孔２１ａからの反射がないことから、保護ベルト２１の表面を直接読取ったときのセンサ出力よりも低くなる。
【００４５】
そのため、媒体センサ５１が透明テープ２０２越しに保護ベルト２１の吸引孔２１ａを読み取ったときに、媒体センサ５１のセンサ出力がテープ有無基準値を下回ってしまい、テープ無と検出（判別）することになる。
【００４６】
その結果、保護ベルト２１の吸引孔２１ａ間の間隔を透明テープ２０２の幅と検出してしまうことになり、誤検出を生じる。
【００４７】
なお、図１２において、孔部センサ出力は透明テープ２０２を含む吸引孔２１ａにおけるセンサ出力であり、ベルト部センサ出力は透明テープ２０２を含まない保護ベルト21表面におけるセンサ出力である。
【００４８】
次に、図１３ないし図１５を参照して、反射部材５２の反射率が保護ベルト２１の表面の反射率よりも著しく高い場合の比較例について説明する。
【００４９】
この場合、保護ベルト上に透明テープ２０２がある状態では、図１４に示すように保護ベルト２１の表面に対応する部位よりも吸引孔２１ａに対応する部位のセンサ出力が大きくなり、いずれのセンサ出力もテープ有無基準値を上回っており、誤検知が生じることはない。
【００５０】
しかし、このような状態では、図１３に示すように、保護ベルト２１上に透明テープ２０２がない状態のときには、媒体センサ５１によって読み取りを行うと、媒体センサ５１のセンサ出力は、図１５に示すように、吸引孔２１ａの箇所で保護ベルト２１の表面を読取ったときのセンサ出力よりも高くなる。
【００５１】
そのため、保護ベルト２１の吸引孔２１ａを読み取ったときに、媒体センサ５１のセンサ出力がテープ有無基準値を超えてしまって、テープ有と検出（判別）されることがある。
【００５２】
その結果、保護ベルト２１上に透明テープ２０２がないにもかかわらず、テープ有と誤検出して、保護ベルト２１上に直接液滴を吐出して画像を形成し、ベルトを汚してしまうという不具合が生じる。
【００５３】
このように、反射部材５２を備える構成であっても、反射率が著しく高すぎると保護ベルト２１の吸引孔２１ａによって誤検出が生じるという問題がある。すなわち、反射部材５２を備えていたとしても、透明テープ２０２がない状態で、吸引孔２１ａからの反射光のセンサ出力がテープ有無基準値の「有り」側となっていては、透明テープ２０２の有無を正しく判断することができない。
【００５４】
そこで、本実施形態では、保護ベルト２１の内側に吸引孔２１ａを介して入射される光を反射する反射部材５２を備えている。ここで、反射部材５２の反射率は、ベルト状部材である保護ベルト２１上に透明な印刷媒体である透明テープ２０２がない状態で、吸引孔２１ａの位置での反射光を受光したときのセンサ出力が、媒体有無基準値よりも小さく、保護ベルト２１上に透明テープ２０２がある状態で、吸引孔２１ａの位置での反射光を受光したときのセンサ出力が、媒体有無基準値以上になる反射率である。
【００５５】
これにより、予め定めた媒体基準値とセンサ出力とを比較して透明な印刷媒体の有無を判別する構成としたとき、吸引孔２１ａの部分でも透明テープ２０２の有無を正確に判別することができるので、反射型フォトセンサを使用した媒体センサの誤検出を防止できる。
【００５６】
すなわち、図１０ないし図１２の構成では、透明テープ２０２がある状態で吸引孔２１ａにおける媒体センサのセンサ出力がテープ有無基準の「テープなし」側になってしまい、吸引孔２１ａにおける媒体センサのセンサ出力から透明テープの有無を判別できない。
【００５７】
また、図１３ないし図１５の構成では、透明テープ２０２がない状態で吸引孔２１ａにおける媒体センサのセンサ出力がテープ有無基準の「テープ有り」側になってしまい、吸引孔２１ａにおける媒体センサのセンサ出力から透明テープの有無を判別できない。
【００５８】
これに対して、反射部材５２の反射率が上述した反射率である構成とすることで、反射型フォトセンサを使用して吸引孔を有するベルト状部材上の透明な印刷媒体の有無を正確に判別することができるようになる。
【００５９】
ここで、反射部材５２の反射率について図６の説明図を参照して説明する。
【００６０】
まず、保護ベルト２１上に透明テープ２０２がない状態で、媒体センサ５１によって保護ベルト２１の吸引孔２１ａを読取ったときのセンサ出力がテープ有無基準値を超えると、上述したように、テープ有りと誤検出される。
【００６１】
したがって、反射部材５２の反射率は、保護ベルト２１上に透明テープ２０２がない状態で、媒体センサ５１によって保護ベルト２１の吸引孔２１ａを読取ったときのセンサ出力がテープ有無基準値を超えないようにする。
【００６２】
一方、保護ベルト２１の吸引孔２１ａの反射率が保護ベルト２１の表面の反射率より低い場合、上述したように、透明テープ２０２があっても、テープ有無基準値を下回ることがあり、このときにはテープ無と誤検出されることになる。
【００６３】
したがって、反射部材５２の反射率は、保護ベルト２１上に透明テープ２０２がある状態で、媒体センサ５１によって保護ベルト２１の吸引孔２１ａを読取ったときのセンサ出力が、テープ有無基準値を下回らないようにする。
【００６４】
このとき、保護ベルト２１の吸引孔２１ａの反射率が保護ベルト２１の表面の反射率と同等であれば、保護ベルト２１上に透明テープ２０２がある状態で、媒体センサ５１によって保護ベルト２１の吸引孔２１ａを読取ったときのセンサ出力が、テープ有無基準値を下回ることはない。
【００６５】
そこで、図６に示すように、反射部材５２の反射率は、吸引孔２１ａを読取ったときのセンサ出力が、保護ベルト２１の表面を読取ったときのセンサ出力とテープ有無基準値との間になるように設定している。
【００６６】
つまり、反射型フォトセンサ（媒体センサ）のセンサ出力を予め定めた媒体有無判別基準値と比較して、透明な印刷媒体の有無を判別するとき、反射部材の反射率は、次の（１）、（２）の満たすように設定する。
【００６７】
（１）ベルト状部材上に透明な印刷媒体がない状態で、吸引孔の位置での反射光を受光したときのセンサ出力が、媒体有無基準値に対応するセンサ出力よりも小さくなるようにする。
【００６８】
（２）ベルト状部材上に透明な印刷媒体がある状態で、吸引孔の位置での反射光を受光したときのセンサ出力が、媒体有無基準値に対応するセンサ出力以上になるようにする。
【００６９】
これによって、確実に誤検出を防止できる。
【００７０】
ここで、上記（２）の条件が満足されるのであれば、必ずしも、図６で示したように、吸引孔２１ａを読取ったときのセンサ出力が、保護ベルト２１を読取ったときのセンサ出力とテープ有無基準値との間にならなくともよい。
【００７１】
すなわち、反射部材の反射率が上述した反射率であれば、ベルト状部材上に透明な印刷媒体がない状態で、吸引孔の位置での反射光を受光したときのセンサ出力が、ベルト状部材の表面からの反射光を受光したときのセンサ出力より低い構成とすることも、逆に、ベルト状部材上に透明な印刷媒体がない状態で、吸引孔の位置での反射光を受光したときのセンサ出力が、ベルト状部材の表面からの反射光を受光したときのセンサ出力より高い構成とすることもできる。
【００７２】
例えば、図７に示すように、保護ベルト２１上に透明テープ２０２がある状態で、媒体センサ５１によって保護ベルト２１の吸引孔２１ａを読取ったときのセンサ出力が、テープ有無基準値を下回らなければよい。
【００７３】
つまり、上記（２）の条件が満足されるのであれば、ベルト状部材上に透明な印刷媒体がない状態で、吸引孔の位置での反射光を受光したときのセンサ出力が、ベルト状部材の表面からの反射光を受光したときのセンサ出力よりも低くなる反射部材５２の反射率とすることもできる。
【００７４】
言い換えれば、図７に示すように、保護ベルト２１の表面からの反射光を受光したときのセンサ出力と反射部材５２からの反射光を受光したときのセンサ出力の差ΔＶ１が、保護ベルト２１の表面からの反射光を受光したときのセンサ出力と保護ベルト２１上に透明テープ２０２がある状態のときのセンサ出力との差ΔＶ２よりも小さくなるように、反射部材５２の反射率を設定する。
【００７５】
このようにすれば、図７に示すように、吸引孔２１ａの部分でセンサ出力が低下してもテープ有無基準値以上になるセンサ出力が得られるように、テープ有無基準値を設定することができ、確実に透明テープを検出できる。
【００７６】
次に、反射部材の設置領域について図８の説明図を参照して説明する。
【００７７】
反射部材５２は、媒体センサ５１による検知領域に相当する領域にのみ設けている。つまり、図８に示すように、反射部材５２は、媒体センサ５１による媒体送り方向の検出幅を有し、媒体センサ５１の移動範囲の長さを有している。
【００７８】
これにより、反射部材５２を最小化してコストを低減することができる。
【００７９】
次に、反射部材の設置方法について図９の説明図を参照して説明する。
【００８０】
ここでは、反射部材５２に接着層５２ａを設けて吸引ユニット２９等に剥離可能に貼り付けている。このほか、ネジ止めやスナップフィットなど、取り外し可能に設けることが好ましい。
【００８１】
このように、反射部材５２を交換可能に設けることにより、反射部材５２がミストなどで汚れたときに、取り替えたり、清掃するなど、メンテナンスが容易になる。
【００８２】
なお、上記実施形態においては、粘着面を保護ベルトで保護しながら搬送する搬送手段の構成で説明したが、これに限るものではない。例えば、次のような構成にも同様に適用することができる。
【００８３】
（１）粘着面に画像を形成し、媒体面を搬送ベルトで支持して搬送する。
（２）粘着面を有しない印刷媒体を搬送ベルトで搬送する。
【００８４】
また、本願における「画像形成」とは、文字や図形等の意味を持つ画像を媒体に対して付与することだけでなく、パターン等の意味を持たない画像を媒体に付与すること（単に液滴を媒体に着弾させること）をも意味する。
【００８５】
また、画像形成装置には、特に限定しない限り、シリアル型画像形成装置及びライン型画像形成装置のいずれも含まれる。
【符号の説明】
【００８６】
２  印刷媒体
４  ロール体
１１  記録ヘッド
２１  保護ベルト（ベルト状部材）
２２  搬送ローラ
２４  加圧ローラ
３１  中間ローラ
３３  カッタ
３６  排紙ローラ
５１  媒体センサ（反射型フォトセンサ）
５２  反射部材
１００  装置本体
１０１  給紙部
１０２  画像形成部
１０３  搬送部
１０４  排紙部
１０５  排出口
【図１】
2014198626.tif 000003
【図２】
2014198626.tif 000004
【図３】
2014198626.tif 000005
【図４】
2014198626.tif 000006
【図５】
2014198626.tif 000007
【図６】
2014198626.tif 000008
【図７】
2014198626.tif 000009
【図８】
2014198626.tif 000010
【図９】
2014198626.tif 000011
【図１０】
2014198626.tif 000012
【図１１】
2014198626.tif 000013
【図１２】
2014198626.tif 000014
【図１３】
2014198626.tif 000015
【図１４】
2014198626.tif 000016
【図１５】
2014198626.tif 000017